(57)【要約】【課題】  清掃対象面のクリーニング作業を効率良く連続して行うことができ、且つ、清掃対象面を傷つけてしまう危険を低減できる、クリーニング用具を提供する。【解決手段】  手で持ちやすい大きさの吸水性のない独立気泡スポンジ２と、吸水性のあるシート状の連続気泡スポンジ３と、研摩対象面を傷つけない程度の微粒子の砥材を付着させた研摩布紙シート４と、を備え、前記独立気泡スポンジ２と前記研摩布紙シート４との間に前記連続気泡スポンジ３を介在させてそれらを一体化させてなる。【選択図】    図１
0003166009.tif 000002
【実用新案登録請求の範囲】
【請求項１】
手で持ちやすい大きさの吸水性のない独立気泡スポンジと、吸水性のあるシート状の連続気泡スポンジと、研摩対象面を傷つけない程度の微粒子の砥材を付着させた研摩布紙シートと、を備え、前記独立気泡スポンジと前記研摩布紙シートとの間に前記連続気泡スポンジを介在させてそれらを一体化させてなる、クリーニング用具。
【請求項２】
前記研摩布紙シートが通水用の多数の孔又はスリットを備えている、請求項１に記載のクリーニング用具。
【請求項３】
前記砥材がダイヤモンド粒子である、請求項１又は２に記載のクリーニング用具。
【考案の詳細な説明】
【技術分野】
【０００１】
本考案は、ガラス面や鏡面などの清掃に適するクリーニング用具に関する。
【背景技術】
【０００２】
特許文献１には、ガラス等のクリーニング用具として、次のものが記載されている。「手で持ちやすいサイズにカットした吸水性のない独立気泡スポンジの表面に、ガラスを傷つけない程度の微粒子のダイヤモンド粒子の砥材を付着させた研摩布紙シートを貼着し一体化させてなるガラス等のクリーニング用具。」である（特許文献１の請求項１）。
【０００３】
前記クリーニング用具によれば、「ガラス等の表面を水を用いて研摩布紙シートによって研摩し、ガラス等の表面に付着して結晶化した金属元素等を良好に除去することができ、その後に、反対側のスポンジ面をガラス表面に当てて、ガラス表面の水分をこのスポンジ面で良好に拭き取ることができ、クリーニング作業を容易に行うことができる。」とされている（特許文献１の０００４段落）。
【先行技術文献】
【特許文献】
【０００４】
【特許文献１】特許第３２４０４４６号公報
【考案の概要】
【考案が解決しようとする課題】
【０００５】
しかしながら、前記従来のクリーニング用具は、保水力を備えていないので、クリーニング作業を連続して行う場合、水を頻繁につけ直さなければならない。このため作業性が悪いという問題がある。
【０００６】
また、前記従来のクリーニング用具は、ガラスを傷つけない程度の微粒子のダイヤモンド粒子の砥材を用いているとは言え、力の入れ具合や同一部分の研摩回数によっては、ガラス面を傷つけてしまう危険もある。
【０００７】
本考案は、前記の如き事情に鑑みてなされたもので、清掃対象面のクリーニング作業を効率良く連続して行うことができ、且つ、清掃対象面を傷つけてしまう危険を低減できる、クリーニング用具を提供しようとするものである。
【課題を解決するための手段】
【０００８】
前記課題を解決するため、本考案に係るクリーニング用具は、手で持ちやすい大きさの吸水性のない独立気泡スポンジと、吸水性のあるシート状の連続気泡スポンジと、研摩対象面を傷つけない程度の微粒子の砥材を付着させた研摩布紙シートと、を備え、前記独立気泡スポンジと前記研摩布紙シートとの間に前記連続気泡スポンジを介在させてそれらを一体化させたことを特徴とする（請求項１）。
【０００９】
本発明に係るクリーニング用具は、次のようにして使用する。前記独立気泡スポンジの部分を手に持ち、前記研摩布紙シートに水をつけてこれを清掃対象面に擦り付ける。これにより、前記研摩布紙シート上の前記砥材で清掃対象面が研摩され、汚れが落ちる。その後、前記独立気泡スポンジを利用して清掃対象面の水分を拭き取ることができる。
【００１０】
本発明によれば、吸水性のあるシート状の連続気泡スポンジが保水作用を奏する。このため、清掃作業を連続的に行う場合でも、水をつけ直す回数が少なくて済む。よって作業性が向上する。また、前記連続気泡スポンジのクッション作用により、前記砥材の清掃対象面への当たりが緩衝されるので、たとえ強く擦りすぎたり何度も擦りすぎたりしても、清掃対象面を損傷してしまう危険が少ない。
【００１１】
好適な実施の一形態として、前記研摩布紙シートが通水用の多数の孔又はスリットを備えたものとすることもできる（請求項２）。この実施の形態によれば、前記多数の孔又はスリットを通して前記連続気泡スポンジと清掃対象面との間で水が行き来できるので、前記連続気泡スポンジの保水作用が十分に生かされる。
【００１２】
前記砥材としては、限定はされないが、ダイヤモンド粒子を用いるのが好ましい（請求項３）。研摩力が大きいからである。
【図面の簡単な説明】
【００１３】
【図１】本考案の実施の一形態に係るクリーニング用具の全体斜視図である。
【図２】本考案の他の実施の形態に係るクリーニング用具の全体斜視図である。
【考案を実施するための形態】
【００１４】
以下、添付図面を参照して、本考案の実施の一形態について説明する。
【００１５】
図１に示すように、本考案の実施の一形態に係るクリーニング用具１は、手で持ちやすい大きさの吸水性のない独立気泡スポンジ２と、吸水性のあるシート状の連続気泡スポンジ３と、研摩対象面を傷つけない程度の微粒子の砥材を付着させた研摩布紙シート４と、を備える。そして、前記独立気泡スポンジ２と前記研摩布紙シート４との間に前記連続気泡スポンジ３を介在させてそれらが一体化されている。一体化の方法は、例えば貼着による。
【００１６】
前記クリーニング用具１の使用方法は次の通りである。前記独立気泡スポンジ２の部分を手に持ち、前記研摩布紙シート４に水をつけてこれを清掃対象面に擦り付ける。これにより、前記研摩布紙シート４上の前記砥材で清掃対象面が研摩され、汚れが落ちる。その後、前記独立気泡スポンジ２を利用して清掃対象面の水分を拭き取ることができる。
【００１７】
前記独立気泡スポンジ２は、内部で気孔がつながっていないので、吸水性又は保水性を有しない。前記独立気泡スポンジ２の材料としては、例えばポリエチレンが挙げられる。前記クリーニング用具１において、前記独立気泡スポンジ２の部分は、前記研摩布紙シート４を支持する機能を果たし、該研摩布紙シート４の部分で清掃対象面を擦る際に利用者が手で持つ部分となる。よって、前記独立気泡スポンジ２は、手で持ちやすい大きさとする。
【００１８】
前記研摩布紙シート４は、紙、布等の基材上に、樹脂等の接着材を用いて、微粒子状の砥材を付着させたものである。前記砥材の粒子の種類及び粒径は、研摩力を有するけれども研摩対象面を傷つけないものであることを要する。前記砥材としては、例えば、アルミナ粒子、炭化珪素粒子、ダイヤモンド粒子等を用いることができるが、研摩力の大きさの観点からダイヤモンド粒子を用いるのが好ましい。
【００１９】
前記砥材の粒径は、清掃対象面によっても異なる。例えばガラスや鏡の表面を清掃するクリーニング用具とする場合には、それらを傷付けることのないような微細な粒子を用い、陶器や金属の表面を清掃するクリーニング用具とする場合には、ガラスや鏡の清掃用の場合よりも粒径が大きくてもよい。すなわち、予め清掃対象面を想定し、清掃対象面の種類ごとに砥材の粒径を決定する。
【００２０】
前記連続気泡スポンジ３は、内部で気孔がつながっているので、吸水性又は保水性を有する。前記連続気泡スポンジ３の材料としては、例えばポリウレタンが挙げられる。前記クリーニング用具１において、前記連続気泡スポンジ３の部分は、保水作用を奏するとともに、クッション作用を奏する。すなわち、前記連続気泡スポンジ３は、清掃に用いる水を保持し、且つ、清掃対象面へと供給する。併せて、前記砥材の清掃対象面への当たりを緩衝する。前記連続気泡スポンジ３が厚すぎると前記研摩布紙シート４の支持性が悪くなるので、前記連続気泡スポンジ３は、シート状の薄型のものとする。
【００２１】
前記クリーニング用具１によれば、前記連続気泡スポンジ３が保水作用を奏するので、清掃作業を連続的に行う場合でも、水をつけ直す回数が少なくて済む。よって作業性が向上する。また、前記連続気泡スポンジ３がクッション作用を奏するので、たとえ強く擦りすぎたり何度も擦りすぎたりしても、清掃対象面を傷つけてしまう危険が少ない。
【００２２】
他の実施の一形態として、図２に示すように、前記研摩布紙シート４に通水用の多数の孔又はスリット５を設けることもできる。孔やスリット５の形状は問わない。このようにすれば、前記多数の孔又はスリット５を通して前記連続気泡スポンジ３と清掃対象面との間で水が行き来できるので、前記連続気泡スポンジの保水作用が十分に生かされる。
【符号の説明】
【００２３】
１    クリーニング用具
２    独立気泡スポンジ
３    連続気泡スポンジ
４    研摩布紙シート
５    孔又はスリット
【図１】
0003166009.tif 000003
【図２】
0003166009.tif 000004